(57)【要約】【課題】  ＰＣ付マイクロホンとタップ、及び携帯電話機能を有する録音装置においてのマイクロホンを、会議等において、音声漏洩防止目的として使用する場合、口周辺密着部分の取り外しを必要とする。【解決手段】  ＰＣ付マイクロホン本体の出口に、内蔵マイク及び増幅器を取り付ける事により、非常に弱い音声を発しても反応して通常の大きさの音声として送信する事が可能となる、また従来と同様通常の大きさの音声への対応した使用、ワイヤレスマイクとしての使用を可能にする事ができる。【選択図】図１
2012253731.tif 000002
【特許請求の範囲】
【請求項１】
ＰＣ付マイクロホンとタップ、及び携帯電話機能を有する録音装置において、マイクロホン本体の出口側に内蔵ミキシングマイク及び増幅器を取り付ける。これにより、非常に弱く発した音声に対応して送信可能なマイクロホンの発明である。また、非常に弱めた音声（音声漏洩防止を必要とする会議等）、通常の大きさの音声への対応、及びワイヤレスマイクとしての使用が容易にでき得る事となる。
【発明の詳細な説明】
【技術分野】
【０００１】  本発明は、ＰＣ付マイクロホンとタップ、及び携帯電話機能を有する録音装置におい、マイクロホン本体に内蔵ミキシングマイク及び増幅器を取り付けたマイクロホンに関する。
【背景技術】
【０００２】  従来の外部マイクロホン及びタップには、録音機能としてＰＣ、及び携帯電話機能が取り付けられていなかった。
また、上記録音装置のマイクロホンを音声漏洩防止目的に使用する場合、口周辺への密着部分取り付けを必要とした。【０００３】  以下、従来のマイクロホンの構成について説明する。
マイクロホン本体は、軽量の速乾、防湿、防音、吸音素材による構成であり、また内部には同素材による被膜処理を施したものである。
水滴対策として、紙コップ状のものの使用が考えられていた。
発言時のシグナル、音量調節も含むスイッチを取り付ける。
マイクロホン、タップのＰＣ連係は電磁波漏れ防止対策処理のもの、例、ケ−ブル等により繋ぎ、一部分にはイヤホンコ−ドを使用する。
【先行技術文献】
【０００４】  従来の外部及び内部マイクロホンについての文献は、素材、容器ともに存在する。
【０００５】  ＰＣ付マイクロホンとタップ、及び携帯電話機能を有する録音装置におけるマイクロホン。（特願申請２０１１−１０４７０４）
【発明の概要】
【発明が解決しようとする課題】
【０００６】  ＰＣ付マイクロホンとタップ、及び携帯電話機能を有する録音装置においてのマイクロホンを音声漏洩防止目的に使用する場合、口周辺への密着部分の取り外しを必要とした。【０００７】  本発明は、上記目的を達成するため、非常に弱めて発声した音声にも対応して送信可能を目的とするものである。
【課題を解決するための手段】
【０００８】  本発明は、非常に弱めて発した音声の送信を可能とするため、ＰＣ付及び携帯電話機能を有するマイクロホン本体に、内蔵ミキシングマイク及び増幅器を取り付けたものである。
【発明の効果】
【０００９】  上述のように、本発明のマイクロホンにより、音声漏洩防止目的に使用する際、口周辺の密着部分取り外しの必要がなくなる。また、非常に弱めて発声した音声、通常の発声による音声の送信が可能であり、ワイヤレスマイクとして使用可能なマイクロホンを提供できる。
【図面の簡単な説明】
【００１０】
【図１】  ＰＣ付マイクロホン本体に内蔵ミキシングマイク及び増幅器を取り付けた図面。
【図面を実施するための形態】
【００１１】  本発明の実施の形態を図１に従って説明する。
【００１２】  マイクロホン本体の長さは約７センチメ−トル前後。直径約６センチメ−トル前後とする。非常に弱い音声を発するため、反響による影響は少なく、内蔵ミキシングマイク、増幅器の取り付けにより、送信可能と考えられる。また、通常の強さで発した音声の送信も可能であり、また、［図１］において点線により示す連係部分を取り外す事により、ワイヤレスマイクとしての使用も可能である。
本体形状については、メモリ−カ−ド装着可能なものとし、発言時のシグナル、音量調節を含むスイッチ等を取り付ける。
内蔵マイク、マイクロホンＰＣとタップＰＣの連係は、適宜電磁波漏れ対策としてケ−ブル等の使用による、また一部はイヤホンコ−ドを用いる。
【符号の説明】
【００１３】  １  マイクロホン本体音声入口
２  音声出口
３  内蔵ミキシングマイク
４  増幅器
５  マイクロホンＰＣ
６  タップＰＣからマイクロホンＰＣへのコ−ド（ケ−ブル）
７  マイクロホンの内蔵ミキシングマイク（増幅器）からタップＰＣへのコ−ド（ケ−    ブル）
８  コ−ド（ケ−ブル）一体化（状）部分
９  マイクロホンＰＣから発言者へのイヤホンコ−ド
【図１】
2012253731.tif 000003
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
本体にパ−ソナルコンピュ−タ−（以下、ＰＣと記す）機能、及び携帯電話機能を付した外部マイクロホンである。これにより、外部マイクロホン本体においてメモリ−カ−ドによる記憶を可能とした外部マイクロホンである。
【請求項２】
多人数での会議等において利用した場合、ＰＣを付したタップを音声の集積ステーションと考え、携帯電話機能を付す事により、（イ）従来の録音方法としての利用（ロ）携帯電話の機能を付す事により、幅広い参加への対応も可能となる。この場合のマイクロホン、タップ各ＰＣ間の連係については、イヤホンジャック、音声用ジャックをケ−ブル等により連係する。即ち、外部マイクロホンの内蔵マイクからタップのＰＣへは、発した音声の信号を送り、タップＰＣのイヤホンジャックからの送信を次にマイクロホンＰＣへの指令として扱い、発言者の耳へはマイクロホンＰＣからイヤホンコ−ドによるという外部マイクロホンである。
【請求項３】
非常に弱く発した音声の送信が可能な外部マイクロホンであり、弱めて発した音声への対応として、マイクロホン本体への内蔵ミキシングマイク及び増幅器の取り付け位置を次のように考える。即ち、発した音声が達するマイクロホン内部の入口に近い位置から、吐いた息の残量と音波の強さとの兼ね合い、及び音波に与える増幅の効果を考慮に入れた位置までの範囲内に取り付け位置を決め、その位置からマイクロホン外部へ信号を導くという構造のマイクロホンである。
また、非常に弱く発せられた音声を含め、通常の音声の大きさに対応が可能であり、ワイヤレスマイクとしても使用可能なマイクロホンである。
【手続補正３】
【補正対象書類名】明細書
【補正対象項目名】０００２
【補正方法】変更
【補正の内容】
【０００２】  「従来の外部マイクロホン及びタップには、録音機能としてＰＣ、及び携帯電話機能が取り付けられていなかった。
また、上記録音装置のマイクロホンを音声漏洩防止目的に使用する場合、口周辺への密着部分取り付けを必要とした」
従来の外部マイクロホンには、録音機能としてＰＣ、及び携帯電話機能が取り付けられていなかった。
また、微音発声の送信への対応が考えられていなかった。
【手続補正４】
【補正対象書類名】明細書
【補正対象項目名】０００５
【補正方法】変更
【補正の内容】
【０００５】  「ＰＣ付マイクロホンとタップ、及び携帯電話機能を有する録音装置におけるマイクロホン。（特願申請２０１１−１０４７０４）」
ＰＣ及び携帯電話機能を装着した外部マイクロホン。（特願申請２０１１−１０４７０４）
【手続補正６】
【補正対象書類名】明細書
【補正対象項目名】０００９
【補正方法】変更
【補正の内容】
【０００９】  「上述のように、本発明のマイクロホンにより、音声漏洩防止目的に使用する際、口周辺の密着部分取り外しの必要がなくなる。また、非常に弱めて発声した音声、通常の発声による音声の送信が可能であり、ワイヤレスマイクとして使用可能なマイクロホンを提供できる」
上述のように、本発明による外部マイクロホンを音声漏洩防止目的に使用する際、口周辺の密着部分取り外しの必要がなくなる。また、非常に弱めて発声した音声、通常の発声による音声の送信が可能であり、ワイヤレスマイクとして使用可能なマイクロホンを提供できる。
また、本外部マイクロホンは、個人用としての使用及び特願申請２０１１−１０４７０４の録音装置利用による多人数の会議においても使用可能な外部マイクロホンを提供できる。
【手続補正７】
【補正対象書類名】明細書
【補正対象項目名】００１２
【補正方法】変更
【補正の内容】
【００１２】  「マイクロホン本体の長さは約７センチメ−トル前後。直径約６センチメ−トル前後とする。非常に弱い音声を発するため、反響による影響は少なく、内蔵ミキシングマイク、増幅器の取り付けにより、送信可能であると考えられる。また、通常の強さで発した音声の送信も可能であり、また、［図１］において点線により示す連係部分を取り外す事により、ワイヤレスマイクとしての使用も可能である。
本体形状については、メモリ−カ−ド装着可能なものとし、発言時のシグナル、音量調節を含むスイッチを取り付ける。
内蔵マイク、マイクロホンＰＣとタップＰＣの連係は適宜電磁波漏れ対策としてケ−ブル等の使用による。また一部はイヤホンコ−ドを用いる」
マイクロホン本体の長さは約７センチメ−トル前後、直径約６センチメ−トル前後とする。非常に弱い音声を発するため、反響（増幅作用）による影響の利用としては、マイクロホン本体内部に増幅器を取り付け、取り付け位置として、吐いた息の残量と音波の強さとの兼ね合い、及び増幅器により音波を強める位置に内蔵ミキシングマイク、増幅器を取り付ける事により、非常に弱く発した音声の送信も可能と考えられる。また、通常の強さで発した音声の送信も可能であり、また、［図１］において点線により示す連係部分を取り外す事により、ワイヤレスマイクとしての使用も可能である。
本形状については、メモリ−カ−ド装着可能なものとし、発言時のシグナル、音量調節を含むスイッチを取り付ける。
内蔵マイク、外部マイクロホンＰＣと録音装置のＰＣ等との連係には、適宜電磁波漏れ対策としてケ−ブル等を用い、一部分にはイヤホンコ−ドを用いる。